(57)【要約】【課題】  全体を小型化することができ、コネクタ部の設置位置の自由度向上とともに耐久性向上を図ることができる回転電機を提供すること。【解決手段】  車両用交流発電機１には、周方向の一部に所定の空間を有する整流装置５と、整流装置５が固定されるとともに回転子が収容されるリアフレーム３ｂと、電圧制御装置８とが備わっている。電圧制御装置８は、整流装置５に形成された空間に配置された電圧制御部８００と、この電圧制御部８００の外周部から周方向に延出して先端に固定部８０２が設けられた延出部８０４と、電圧制御部８００に電気的に接続されるとともに固定部８０２と電圧制御部８００との間の延出部８０４に設けられたコネクタ部８０６とを有している。【選択図】        図２
2005033985.tif 000002
【特許請求の範囲】
【請求項１】
周方向の一部に所定の空間を有する整流装置と、
前記整流装置が固定されるとともに回転子が収容されるフレームと、
前記空間に配置された電圧制御部と、前記電圧制御部の外周部から周方向に延出して先端に固定部が設けられた延出部と、前記電圧制御部に電気的に接続されるとともに前記固定部と前記電圧制御部の間の前記延出部に設けられたコネクタ部とを有し、前記固定部が前記フレームに固定される電圧制御装置と、
を備えることを特徴とする回転電機。
【請求項２】
請求項１において、
前記固定部と前記コネクタ部は、前記回転子の回転軸からの距離がほぼ同じになるように設置位置が設定されていることを特徴とする回転電機。
【請求項３】
請求項１または２において、
前記固定部は、前記整流装置が固定される前記フレームの端面から外径側にせり出した位置に配置されることを特徴とする回転電機。
【請求項４】
請求項１〜３のいずれかにおいて、
前記延出部は、円弧形状を有していることを特徴とする回転電機。
【請求項５】
請求項１〜４のいずれかにおいて、
前記電圧制御装置は、前記フレームとの対向面に、前記回転子の回転軸に対する同心円に沿った円弧状の衝立を有することを特徴とする回転電機。
【請求項６】
請求項１〜５のいずれかにおいて、
前記コネクタ部は、前記回転子の回転軸方向に延出されることを特徴とする回転電機。
【請求項７】
請求項１〜５のいずれかにおいて、
前記コネクタ部は、前記回転子の径方向に延出されることを特徴とする回転電機。
【請求項８】
回転子と、前記回転子に対向配置された固定子と、前記回転子と前記固定子とを支持するフレームと、前記フレームに固定されて整流素子の冷却用および電気接続用として用いられる冷熱フィンを有する整流装置と、前記整流装置によって整流された出力電圧を制御する電圧制御装置とを備える回転電機において、
前記電圧制御装置は、電圧制御部と、前記電圧制御部と一体的に形成されて車両側コネクタと連結されるコネクタ部とを備え、
前記コネクタ部は回転軸方向に沿って延伸しており、前記コネクタ部の内径側側面に、車両側コネクタを係止する係止部が設けられていることを特徴とする回転電機。
【請求項９】
請求項８において、
前記コネクタ部の内径側側面に、前記係止部への水の侵入を抑制する係止部防水壁を形成したことを特徴とする回転電機。
【請求項１０】
請求項９において、
前記係止部防水壁は、前記係止部の両側に形成されたリブ状突起であることを特徴とする回転電機。
【請求項１１】
請求項８〜１０のいずれかにおいて、
前記電圧制御装置を覆うとともに前記コネクタ部に対応する軸方向開口部を有する保護カバーをさらに備え、
前記軸方向開口部の周辺領域に、前記コネクタ部への被水を抑制する保護カバー防水壁を形成したことを特徴とする回転電機。
【請求項１２】
請求項１１において、
前記保護カバー防水壁は、前記軸方向開口部に隣接する径方向側面に形成されるリブ状突起であることを特徴とする回転電機。
【発明の詳細な説明】
【技術分野】
【０００１】
本発明は、自動車やトラックに搭載される車両用交流発電機等の回転電機に関する。
【背景技術】
【０００２】
車両走行時の空気抵抗低減のためのスラントノーズ化や車室内の居住空間確保というニーズから、エンジンルームは近年ますます狭小化しており、車両用交流発電機の搭載スペースに余裕がなくなってきている。このため、車両用交流発電機も小型化する必要に迫られ、車両用交流発電機の各構成部品についても小型化しつつ配置を工夫する必要がある。例えば、円環の一部に切り欠き部を持つほぼＣ字形状の冷却フィンを有する整流装置を備えるとともに、この切り欠き部に、電圧制御部とコネクタ部とを有する電圧制御装置が備わった車両用交流発電機が知られている（例えば、特許文献１参照。）。この車両用交流発電機では、整流装置の切り欠き部にほぼ全体が収まる小型の電圧制御装置が用いられている。
【０００３】
一方で、近年の補機部品の保証期間延長、並びに多種多様の車両環境への適用等によって、車両用交流発電機の耐環境性向上の要求が高まっている。車両用交流発電機に用いられる従来の電圧制御装置としては、コネクタ部が回転軸方向に延伸するとともに、このコネクタ部の外径側側面および周方向側面に、車両側コネクタを係止する係止部が形成されたものが知られている（例えば、特許文献２参照。）。また、このような車両用交流発電機と組み合わされる車両側コネクタは、脱着可能な係止機能を一体的に付加させるために、空隙部を伴う複雑な形状を有し、この空隙部から電気接続部への水等の異物の侵入を抑制するためにシールゴムを使う防水構造を採用する場合が多い。なお、コネクタ部の防水を実現する他の従来技術としては、カバーをダクト形状とし、カバーに連結されるダクトの吸気口を被水の影響を受け難い所まで延ばした車両用交流発電機が知られている（例えば、特許文献３参照。）。
【特許文献１】特開２００１−２８８５７号公報（第４−５頁、図１−２）
【特許文献２】特開２００２−１７０６７号公報（第３−４頁、図１−４）
【特許文献３】特開平７−３０３３４５号公報（第３−５頁、図１−６）
【発明の開示】
【発明が解決しようとする課題】
【０００４】
ところで、特許文献１に開示された従来の車両用交流発電機では、コネクタ部を含む電圧制御装置全体が整流装置の切り欠き部内に収容されているため、発電制御装置に隣接するブラシ装置や整流装置の設置位置によってコネクタ部の設置位置が決まってしまい、自由度が少ないという問題があった。発電制御装置の大きさをあまり変えずにコネクタ部の設置位置の自由度を増そうとすると、設置位置を周方向にずらすことが考えられるが、このようにするとコネクタ部が振動しやすくなるため、耐久性が悪化するおそれがある。
【０００５】
また、特許文献２に開示された車両用交流発電機の発電制御装置では、係止部が径方向外側に配置されているため、車両側コネクタが取り付けられる前の組付時や部品搬送時等において異物の干渉による破損が生じるおそれがあるという問題があった。係止部が破損すると、車両側コネクタの取り付け不良が発生するため、これに伴う発電不良の原因にもなる。また、補機部品の保証期間延長、並びに多種多様の車両環境への適用等により、シールゴムの経時劣化を考慮して補機類側での対策の要求が高まってきており、車両側コネクタにシールゴムを使用せずに電気接続部への被水を効果的に抑制することができる防水構造が望まれている。
【０００６】
また、特許文献３に開示された車両用交流発電機では、近年の車両走行時の空気抵抗の低減やスラントノーズ化や車室内居住空間確保のニーズから、エンジンルーム内の狭小化によってダクトの這い回しが困難になるとともに、ダクト長さに比例した通風抵抗の増加で冷却性が悪化するため、採用は難しい。
【０００７】
本発明は、このような点に鑑みて創作されたものであり、その目的は、全体を小型化することができ、コネクタ部の設置位置の自由度向上とともに耐久性向上を図ることができる回転電機を提供することにある。
【０００８】
また、本発明の他の目的は、電気接続部への被水を抑制することができ、異物の干渉による破損を防止することができる回転電機を提供することにある。
【課題を解決するための手段】
【０００９】
上述した課題を解決するために、本発明の回転電機は、周方向の一部に所定の空間を有する整流装置と、整流装置が固定されるとともに回転子が収容されるフレームと、空間に配置された電圧制御部とこの電圧制御部の外周部から周方向に延出して先端に固定部が設けられた延出部とこの電圧制御部に電気的に接続されるとともに固定部と電圧制御部の間の延出部に設けられたコネクタ部とを有して固定部がフレームに固定される電圧制御装置とを備えている。整流装置の周方向の一部に形成された空間に電圧制御部が配置されるとともに、この電圧制御部の外周部から周方向に延出した延出部にコネクタ部を設けているため、延出部に沿ってコネクタ部を自由に配置することが可能になり、コネクタ部の設置位置の自由度を向上させることができる。また、延出部の先端に設けられた固定部がフレームに固定されるため、延出部上のコネクタ部の振動を抑制することが可能になり、耐久性向上を図ることができる。さらに、整流装置の周方向の一部に形成された空間に電圧制御部のみを配置し、整流装置の外周部にコネクタ部を配置しているため、整流装置の外径を小さくすることができ、整流装置を含む回転電機全体の小型化が可能になる。
【００１０】
また、上述した固定部とコネクタ部は、回転子の回転軸からの距離がほぼ同じになるように設置位置が設定されていることが望ましい。これにより、回転子の振動によって伴って固定部とコネクタ部に発生する振動の位相がほぼ同じになるため、コネクタ部に発生する振動を低減することができ、耐久性および信頼性を向上させることが可能になる。
【００１１】
また、上述した固定部は、整流装置が固定されるフレームの端面から外径側にせり出した位置に配置されることが望ましい。これにより、電圧制御装置に設けられた複数の固定部を分散することができ、組み付け作業性の向上を図ることができるとともに、電圧制御装置の各部を分散して冷却通路を確保することによる冷却性の向上が可能になる。
【００１２】
また、上述した延出部は、円弧形状を有していることが望ましい。延出部を円弧形状とすることにより剛性を増すことができ、振動低減による耐久性の向上を図ることができる。また、延出部の一部が外径側に突出することがなくなるため、車両への搭載が容易になる。
【００１３】
また、上述した電圧制御装置は、フレームとの対向面に、回転子の回転軸に対する同心円に沿った円弧状の衝立を有することが望ましい。これにより、回転子の回転軸方向に沿った剛性を向上させることができ、耐久性向上が可能になる。また、外径側からの被水に対して迷路構造（ラビリンス配置）を実現することができるため、耐被水性の向上による耐久性、信頼性の向上が可能になる。
【００１４】
また、上述したコネクタ部は、回転子の回転軸方向に延出されることが望ましい。これにより、コネクタ部が外径方向に突出することを防止することができ、回転電機全体の径方向の小型化を図ることができる。
【００１５】
また、上述したコネクタ部は、回転子の径方向に延出されることが望ましい。これにより、コネクタ部が回転子の回転軸方向に突出することを防止することができる。
【００１６】
また、本発明の回転電機は、回転子と、回転子に対向配置された固定子と、回転子と固定子とを支持するフレームと、フレームに固定されて整流素子の冷却用および電気接続用として用いられる冷熱フィンを有する整流装置と、整流装置によって整流された出力電圧を制御する電圧制御装置とを備えており、電圧制御装置は、電圧制御部と、電圧制御部と一体的に形成されて車両側コネクタと連結されるコネクタ部とを備え、コネクタ部は回転軸方向に沿って延伸しており、コネクタ部の内径側側面に、車両側コネクタを係止する係止部が設けられている。車両側コネクタを係止する係止部が電圧制御装置のコネクタ部の内径側側面に形成されているため、車両側コネクタを係止する前に異物が干渉して係止部が破損することを防止することができる。また、係止部を内径側に配置することにより、近年の補機類の搭載スペースの狭小化による各種補機類の密集化に対して車両側コネクタの着脱の作業性を向上させることもできる。
【００１７】
また、上述したコネクタ部の内径側側面に、係止部への水の侵入を抑制する係止部防水壁を形成することが望ましい。これにより、電圧制御装置のコネクタ部と車両側コネクタとの間でのラビリンス作用によって、コネクタ部の内部に配置された電気接続部への被水を抑制することができる。
【００１８】
また、上述した係止部防水壁は、係止部の両側に形成されたリブ状突起であることが望ましい。係止部防水壁の形状をリブ状突起とすることにより、係止部防水壁を越えて係止部に到達することによる電気接続部の被水の発生をさらに低減することができる。
【００１９】
また、上述した電圧制御装置を覆うとともにコネクタ部に対応する軸方向開口部を有する保護カバーをさらに備え、軸方向開口部の周辺領域に、コネクタ部への被水を抑制する保護カバー防水壁を形成することが望ましい。これにより、コネクタ部への被水そのものを抑制することができる。
【００２０】
また、上述した保護カバー防水壁は、軸方向開口部に隣接する径方向側面に形成されるリブ状突起であることが望ましい。保護カバー防水壁の形状をリブ状突起とするとともに、このリブ状突起を保護カバーの軸方向開口部に隣接する位置に設けることにより、保護カバー防水壁を越えてコネクタ部に到達することによる電気接続部の被水の発生をさらに低減することができる。
【発明を実施するための最良の形態】
【００２１】
以下、本発明を適用した一実施形態の車両用交流発電機について、図面に基づいて詳細に説明する。
【００２２】
図１は、本発明を適用した一実施形態の車両用交流発電機１の断面図である。図１に示すように、本実施形態の車両用交流発電機１は、エンジンからベルト（図示せず）およびプーリ１０を介して回転駆動される回転子２と、電機子として働く固定子４と、回転子２と固定子４とを一対の軸受け３ｃ、３ｄを介して支持するフロントフレーム３ａおよびリアフレーム３ｂと、固定子４に接続されて交流出力を直流出力に変換する整流装置５と、回転子２の界磁コイル２２に界磁電流を供給するブラシを保持するブラシ装置７と、出力電圧を制御する電圧制御装置８と、整流装置５、電圧制御装置８およびブラシ装置７等の電気部品を覆うようにリアフレーム３ｂに取り付けられる樹脂製の保護カバー９を含んで構成されている。
【００２３】
次に、整流装置５、電圧制御装置８および保護カバー９の詳細について説明する。図２は、整流装置５と電圧制御装置８の組み付け状態を示す図である。図３は、電圧制御装置８の平面図である。図４は、電圧制御装置８の側面図である。図５は、電圧制御装置８の底面図である。図６は、電圧制御装置８の底面側の斜視図である。図７は、電圧制御装置８のリアフレーム３ｂへの取り付け状態を示す図である。また、図８は本実施形態の車両用交流発電機１の結線図である。図９は、保護カバー９の詳細形状を示す平面図であり、車両用交流発電機１に組み付けられた状態が示されている。図１０は、図９に示す矢印Ｐ方向に見た保護カバー９の部分的な側面図である。
【００２４】
整流装置５は、回転子２の回転軸方向に２段に重ねられた馬蹄形の冷却部材としての正極側フィン５０１および負極側フィン５０３と、正極側フィン５０１に取り付けられた複数の正極側ダイオード５０２と、負極側フィン５０３に取り付けられた複数の負極側ダイオード５０４と、端子台５１３とを含んで構成されている。
【００２５】
端子台５１３は、正極側フィン５０１と負極側フィン５０３の間を電気的に絶縁する樹脂製絶縁部材であり、固定子４で発生する交流電圧を正極側ダイオード５０２および負極側ダイオード５０４に導くための導電部材を内蔵している。
【００２６】
正極側ダイオード５０２および負極側ダイオード５０４は、それぞれのリードターミナルが異極性のフィンに向くように、すなわち、正極側ダイオード５０２のリードターミナルは負極側ダイオード５０４が取り付けられた負極側フィン５０３に、負極側ダイオード５０４のリードターミナルは正極側ダイオード５０２が取り付けられた正極側フィン５０１にそれぞれ向くように配置されている。
【００２７】
また、正極側ダイオード５０２および負極側ダイオード５０４は、正極側フィン５０１あるいは負極側フィン５０３に形成された貫通孔に打ち込み固定されており、それぞれのリードターミナルは、端子台５１３の導電部材に電気接続され、複数の正極側ダイオード５０２と複数の負極側ダイオード５０４によって全波整流回路が形成されている。本実施形態では、２組の三相全波整流回路を形成するように、正極側フィン５０１と負極側フィン５０３のそれぞれには６個の正極側ダイオード５０２あるいは６個の負極側ダイオード５０４が配置されている。さらに、正極側フィン５０１には出力端子用のボルト５００が取り付けられており、全波整流された直流出力が取り出される。
【００２８】
また、整流装置５は、リアフレーム３ｂと保護カバー９との間に配置され、リア側の軸受け３ｄを収容するリアベアリングボックスを支持する支持部材に保護カバー９とともに締結固定されている。また、負極側フィン５０３は、正極側フィン５０１に比べて外径寸法が大きく設定されており、しかも、負極側ダイオード５０４は、正極側ダイオード５０２よりも大径側（径方向外側）に配置されている。また、負極側フィン５０３には外径部近傍の複数箇所（例えば４箇所）に周方向に沿ってほぼ均等に締結固定部が形成されており、これらの締結固定部に締結用ビス５１０を通して負極側フィン５０３を締結することにより、リアフレーム３ｂに負極側フィン５０３が固定される。また、これらの締結固定部周辺において、負極側フィン５０３がリアフレーム３ｂに接触し、負極側フィン５０３からリアフレーム３ｂに対する放熱が行われる。
【００２９】
また、本実施形態の整流装置５では、端子台５１３を挟んで正極側フィン５０１と負極側フィン５０３が組み付けられた状態で、周方向の一部に所定の空間が形成されている。この空間には、電圧制御装置８の一部とブラシ装置７とが配置される。
【００３０】
電圧制御装置８は、整流装置５の周方向の一部に形成された所定の空間に配置される電圧制御部８００と、この電圧制御部８００の外周部から周方向に延出して先端に固定部８０２が形成された延出部８０４と、電圧制御部８００に電気的に接続されるとともに固定部８０２と電圧制御部８００との間の延出部８０４に設けられたコネクタ部８０６とを有している。
【００３１】
電圧制御部８００は、車両用交流発電機１の出力電圧を調整するためのものであり、制御回路を構成するチップが内蔵されているとともに、このチップによって発生する熱を放熱する冷却フィン８０８がリア側に設けられている。延出部８０４は、円弧形状を有しており、その先端の固定部８０２は、整流装置５が固定されるリアフレーム３ｂの端面から外径側にせり出した位置に配置されている。また、コネクタ部８０６は、回転子２の回転軸方向に沿って延伸しており、複数の電気接続部としての接続端子（例えば３つの接続端子８１０、８１２、８１４）が設けられている。また、コネクタ部８０６は、延出部８０４を介して電圧制御部８００と一体的に形成されている。このコネクタ部８０６と固定部８０２は、回転子２の回転軸からの距離がほぼ同じになるように設置位置が設定されている。また、図７に示すように、固定部８０２は、ボルト８０９を用いて、リアフレーム３ｂの端面３ｅに締結固定されている。
【００３２】
図３、図４等に示すように、コネクタ部８０６の内径側側面８０７には、係止部８１５が形成されている。この係止部８１５は、車両側ハーネスの先端に取り付けられてコネクタ部８０６に連結される車両側コネクタ（図示せず）を係止するためのものである。また、係止部８１５が設けられたコネクタ部８０６の内径側側面８０７には、係止部８１５への水の侵入を抑制する係止部防水壁としての複数本のリブ状突起８１６が形成されている。このリブ状突起８１６は、係止部８１５を挟んでその両側に形成されている。
【００３３】
また、図４〜図６に示すように、電圧制御装置８は、回転子２の回転軸に対する同心円に沿った円弧状の衝立８２０、８２２を有している。一方の衝立８２０は、電圧制御部８００の一部に、リアフレーム３ｂとの間に形成される隙間を埋めるように形成されている。他方の衝立８２２は、延出部８０４の一部に、リアフレーム３ｂとの間に形成される隙間を埋めるように形成されている。
【００３４】
また、電圧制御部８００には、ブラシ装置７と電気的接続を行う２つの端子８３０、８３２と、整流装置５と電気的接続を行う３つの端子８３４、８３６、８３８とが設けられている。電圧制御部８００に設けられた端子８３０、８３２は、回転子２の界磁コイル２２の両端に電気的に接続されるＦ端子およびＢ端子である。また、端子８３４は、整流装置５の負極側フィン５０３に接続されるＥ端子である。端子８３６は、整流装置５の正極側フィン５０１に接続されるＢ端子であり、端子８３２と内部で結線されている。端子８３８は、固定子４に備わった多相（例えば三相）巻線のいずれかの相巻線に整流装置５を介して接続されるＰ端子である。また、コネクタ部８０６に設けられた端子８１０、８１２、８１４のそれぞれは、例えば、バッテリ９００の正極側端子に接続されるＳ端子、外部に接続される警告灯９０２に接続されるＬ端子、イグニッションスイッチ９０４に接続されるＩＧ端子であり、これらの接続は回転子２の回転軸に沿った向きに引き出された所定のケーブルを介して行われる。
【００３５】
保護カバー９は、軸方向端面の一部に電圧制御装置８のコネクタ部８０６に対応する軸方向開口部９２を有しており、この軸方向開口部９２の周辺領域であって軸方向開口部９２に隣接する径方向側面９３には、保護カバー防水壁としてのリブ状突起９１が形成されている。このリブ状突起９１によってコネクタ部８０６への被水が抑制される。
【００３６】
このように、本実施形態での車両用交流発電機１では、整流装置５の周方向の一部に形成された空間に電圧制御装置８の電圧制御部８００が配置されるとともに、この電圧制御部８００の外周部から周方向に延出した延出部８０４にコネクタ部８０６を設けているため、延出部８０４に沿ってコネクタ部８０６を自由に配置することが可能になり、コネクタ部８０６の設置位置の自由度を向上させることができる。また、延出部８０４の先端に設けられた固定部８０２がリアフレーム３ｂの端面３ｅに固定されるため、延出部８０４上のコネクタ部８０６の振動を抑制することが可能になり、耐久性向上を図ることができる。さらに、整流装置５の周方向の一部に形成された空間に電圧制御部８００のみを配置し、整流装置５の外周部にコネクタ部８０６を配置しているため、整流装置５の外径を小さくすることができ、整流装置５を含む車両用交流発電機１全体の小型化が可能になる。
【００３７】
また、固定部８０２とコネクタ部８０６は、回転子２の回転軸からの距離がほぼ同じになるように設置位置が設定されているため、回転子２の振動によって伴って固定部８０２とコネクタ部８０６に発生する振動の位相がほぼ同じになり、コネクタ部８０６に発生する振動を低減することができ、耐久性および信頼性を向上させることが可能になる。
【００３８】
また、固定部８０２は、整流装置５が固定されるリアフレーム３ｂの端面から外径側にせり出した位置に配置されており、電圧制御装置８を固定する際の複数の固定部（固定部８０２だけでなく端子８３４、８３６等が含まれている）を分散することができ、組み付け作業性の向上を図ることができるとともに、電圧制御装置８の各部を分散して冷却通路を確保することによる冷却性の向上が可能になる。例えば、図２に示すように、電圧制御部８００とコネクタ部８０６が周方向に分散して配置されるとともに、延出部８０４とリアフレーム３ｂの間に隙間が形成されるため、電圧制御部８００やコネクタ部８０６の周囲に容易に冷却通路を確保できるようになる。
【００３９】
また、延出部８０４を円弧形状とすることにより剛性を増すことができ、振動低減による耐久性の向上を図ることができる。また、延出部８０４の一部が外径側に突出することがなくなるため、車両への搭載が容易になる。
【００４０】
また、電圧制御装置８は、リアフレーム３ｂとの対向面に、回転子２の回転軸に対する同心円に沿った円弧状の衝立８２０、８２２を有しているため、回転子２の回転軸方向に沿った剛性を向上させることができ、耐久性向上が可能になる。また、外径側からの被水に対して迷路構造（ラビリンス配置）を実現することができるため、耐被水性の向上による耐久性、信頼性の向上が可能になる。
【００４１】
また、コネクタ部８０６は、回転子２の回転軸方向に延出しているため、コネクタ部８０６が外径方向に突出することを防止することができ、車両用交流発電機１全体の径方向の小型化を図ることができる。
【００４２】
なお、コネクタ部８０６を回転子２の回転軸方向に延出する代わりに、径方向に延出するようにしてもよい。この場合には、コネクタ部が回転子２の回転軸方向に突出することを防止することができるため、後方のスペースが十分でない場合における搭載性を向上させることが可能になる。
【００４３】
また、本実施形態での車両用交流発電機１では、車両側コネクタを係止する係止部８１５が電圧制御装置８のコネクタ部８０６の内径側側面８０７に形成されているため、車両側コネクタを係止する前に異物が干渉して係止部８１５が破損することを防止することができる。また、係止部８１５を内径側に配置することにより、近年の補機類の搭載スペースの狭小化による各種補機類の密集化に対して車両側コネクタの着脱の作業性を向上させることもできる。
【００４４】
また、コネクタ部８０６の内径側側面８０７に、係止部８１５への水の侵入を抑制する係止部防水壁としてのリブ状突起８１６が形成されているため、電圧制御装置８のコネクタ部８０６と車両側コネクタとの間でのラビリンス（迷路）作用によって、コネクタ部８０６の内部に配置された電気接続部としての端子８１０〜８１４への被水を抑制することができる。
【００４５】
また、係止部防水壁として、係止部８１５の両側に形成されたリブ状突起８１６を採用することにより、リブ状突起８１６を越えて係止部８１５に到達することによる端子８１０等の被水の発生をさらに低減することができる。
【００４６】
また、電圧制御装置８を覆うとともにコネクタ部８０６に対応する軸方向開口部９２を有する保護カバー９を備えるとともに、軸方向開口部９２の周辺領域にコネクタ部８０６への被水を抑制する保護カバー防水壁としてのリブ状突起９１を形成しているため、コネクタ部８０６への被水そのものを抑制することができる。
【００４７】
また、保護カバー防水壁として、軸方向開口部９２に隣接する径方向側面９３に形成されるリブ状突起９１を採用することにより、リブ状突起９１を越えてコネクタ部８０６に到達することによる端子８１０等への被水の発生をさらに低減することができる。
【図面の簡単な説明】
【００４８】
【図１】一実施形態の車両用交流発電機の断面図である。
【図２】整流装置と電圧制御装置の組み付け状態を示す図である。
【図３】電圧制御装置の平面図である。
【図４】電圧制御装置の側面図である。
【図５】電圧制御装置の底面図である。
【図６】電圧制御装置の底面側の斜視図である。
【図７】電圧制御装置のリアフレームへの取り付け状態を示す図である。
【図８】本実施形態の車両用交流発電機の結線図である。
【図９】保護カバーの詳細形状を示す平面図である。
【図１０】図９に示す矢印Ｐ方向に見た保護カバーの部分的な側面図である。
【符号の説明】
【００４９】
１  車両用交流発電機
２  回転子
３ａ  フロントフレーム
３ｂ  リアフレーム
３ｃ、３ｄ  軸受け
４  固定子
５  整流装置
７  ブラシ装置
８  電圧制御装置
９  保護カバー
９１、８１６  リブ状突起
９２  軸方向開口部
９３  径方向側面
５０１  正極側フィン
５０２  正極側ダイオード
５０３  負極側フィン
５０４  負極側ダイオード
５１３  端子台
８００  電圧制御部
８０２  固定部
８０４  延出部
８０６  コネクタ部
８０７  内径側側面
８１５  係止部
８２０、８２２  衝立
【図１】
2005033985.tif 000003
【図２】
2005033985.tif 000004
【図３】
2005033985.tif 000005
【図４】
2005033985.tif 000006
【図５】
2005033985.tif 000007
【図６】
2005033985.tif 000008
【図７】
2005033985.tif 000009
【図８】
2005033985.tif 000010
【図９】
2005033985.tif 000011
【図１０】
2005033985.tif 000012